(57)【特許請求の範囲】
【請求項１】
離間配置された対をなす柱ユニット、及び対をなす該柱ユニットを連結するように水平に配置された大スパン梁とにより構成される大スパン門型ラーメン構造体が、対をなして平行に離間配置されるとともに、
対をなす該大スパン門型ラーメン構造体の向かい合う柱ユニットどうし、及び大スパン梁どうしが複数の直交梁により連結されて形成される大スパン構造体と、
該大スパン構造体の上部に構築される上部建築物とにより構成され、
前記柱ユニットは、複数の柱が複数の連結梁により連結されて構成され、
前記大スパン構造体の直交梁と平行に位置する前記柱ユニットの外側面と内側面とに耐震壁が用いられていることを特徴とする大スパン構造建築物。
【請求項２】
請求項１に記載の大スパン構造建築物において、
前記上部建築物における前記大スパン構造体の直交梁と平行に位置する外壁が、前記大スパン構造体の直交梁と平行に位置する前記外側面の前記耐震壁に対して鉛直方向で同一軸上に設けられることで、前記大スパン構造体から上部建築物の最上階に至るまで連続する連層耐震壁が形成されることを特徴とする大スパン構造建築物。
【請求項３】
請求項１に記載の大スパン構造建築物において、
対をなす前記大スパン門型ラーメン構造体を連結する直交梁を、大スパン梁の下方にて連結し、前記直交梁を構成の一部とする前記上部建築物の最下層の床面を前記大スパン梁の上端部より低い位置に設けることを特徴とする大スパン構造建築物。
【発明の詳細な説明】
【０００１】
【発明の属する技術分野】
本発明は、低コストで、室内環境を損ねることのない大スパン構造建築物に関する。
【０００２】
【従来の技術】
従来より、既存施設や障害物が存在する敷地内において、敷地の有効利用のためこれを大きく跨ぎ、その上部に建築物を構築するような、大スパンを有する骨組み構造が様々な手法で建築されている。
【０００３】
【発明が解決しようとする課題】
しかし、巨大な荷重を受けながら大スパンを架け渡すためには、応力・変形に耐えうる成の大きな梁が必要となる。このため、上部の建築物機能に対して不要な階高の負担を生じさせることとなる。また、成の大きい梁を支持する柱も大きくする必要が生じる。さらに、大スパンと直交する方向に対する耐震安全性を確保することも必要となるなど、コストが大幅に増大することとなる。
【０００４】
上記事情に鑑み、本発明は、低コストで、室内環境を損ねることのない大スパン構造建築物を提供することを目的としている。
【０００５】
【課題を解決するための手段】
請求項１に記載の大スパン構造建築物は、離間配置された対をなす柱ユニット、及び対をなす該柱ユニットを連結するように水平に配置された大スパン梁とにより構成される大スパン門型ラーメン構造体が、対をなして平行に離間配置されるとともに、対をなす該大スパン門型ラーメン構造体の向かい合う柱ユニットどうし、及び大スパン梁どうしが複数の直交梁により連結されて形成される大スパン構造体と、該大スパン構造体の上部に構築される上部建築物とにより構成され、前記柱ユニットは、複数の柱が複数の連結梁により連結されて構成され、前記大スパン構造体の直交梁と平行に位置する前記柱ユニットの外側面と内側面とに耐震壁が用いられていることを特徴としている。
【０００７】
請求項２に記載の大スパン構造建築物は、前記上部建築物における前記大スパン構造体の直交梁と平行に位置する外壁が、前記大スパン構造体の直交梁と平行に位置する前記外側面の前記耐震壁に対して鉛直方向で同一軸上に設けられることで、前記大スパン構造体から上部建築物の最上階に至るまで連続する連層耐震壁が形成されることを特徴としている。
【０００８】
請求項３に記載の大スパン構造建築物は、対をなす前記大スパン門型ラーメン構造体を連結する直交梁を、大スパン梁の下方にて連結し、前記直交梁を構成の一部とする前記上部建築物の最下層の床面を前記大スパン梁の上端部より低い位置に設けることを特徴としている。
【０００９】
【発明の実施の形態】
以下、本発明の大スパン構造建築物を、図１から図３を用いて詳述する。本発明は、既存施設や障害物を大きく跨ぐ大スパン構造体を形成し、その上部に通常の建築計画で構築できる上部建築物を構築する構造である。
【００１０】
図１に示すように、大スパン構造建築物１は、大スパン構造体２と、上部建築物３とにより構成され、前記大スパン構造体２は、対をなす大スパン門型ラーメン構造体４と、直交梁５により形成されている。
大スパン門型ラーメン構造体４は、対をなして離間配置される柱ユニット７と、水平に配置されて該柱ユニット７を連結する大スパン梁６とによりなり、該大スパン梁６は、上記建築物３の荷重を受けながらも大スパンを架け渡すこのとできるように、前記上部建築物３に用いられる梁に比べて梁成が大きく形成されている。
【００１１】
また、該大スパン梁６により連結される対をなす柱ユニット７は、柱８と連結梁９とにより構成されている。前記柱８は、前記大スパン梁６と同一軸上となる位置に複数本が離間配置されており、これら隣り合う柱８どうしは、複数の前記連結梁９により連結されている。なお、本実施の形態では、前記大スパン梁６が位置する方向にのみ、複数の前記柱８を離間配置したが、これにこだわるものではなく、前記大スパン梁６の部材厚が大きい場合には、複数の前記柱８を大スパン梁６に対して直交する方向にも配置してもよく、該柱ユニット７はいわゆるメガ柱を構成している。
【００１２】
このような対をなす柱ユニット７は、図２に示すように、敷地内の一部を大きく跨いで離間配置され、これらを連結するように大スパン梁６を設けることにより大スパン門型ラーメン構造体４が構築される。さらに、図１に示すように、該大スパン門型ラーメン構造体４は、対をなして敷地内の一部を大きく跨いで平行に離間配置され、大スパン門型ラーメン構造体４の向かい合う柱ユニット７どうし、及び大スパン梁６どうしを連結するように、複数の直交梁５が設けられることによって、大スパン構造体２を形成している。
【００１３】
なお、図１に示すように、前記大スパン構造体２を構成する前記直交梁５と平行に位置する外壁には、耐震壁１０が配置されており、直交梁５および柱ユニット７による骨組みと相まって一枚板のように一体となり、荷重に対する剛性、及び強度を高めるとともに、壁板方向に対して高い抵抗力を有する構成となる。また、該耐震壁１０を鉛直方向に連続させて前記大スパン梁６と直交する方向にいわゆる連層耐震壁１１を形成することにより、大スパン門型ラーメン構造体４と直交する方向の耐震安全性を確保している。
【００１４】
このような構成の該大スパン構造体２は、上方から見て前記柱ユニット７に支持された大スパン梁６、及び直交梁５により囲まれた平面が、見かけ上、敷地内の一部を大きく跨いで上方に設けられた人工地盤としての機能を有することとなる。このため、該大スパン構造体２の上部に設ける前記上部建築物３は、通常の設計計画による建築物を用いることができる。
【００１５】
該上部建築物３は、前記大スパン構造体２を構成する大スパン梁６に直交する方向の外壁が、前記大スパン構造体２の前記直交梁５と平行に位置する外壁と鉛直方向で同一軸上に位置するように構築されており、耐震壁１０を用いている。これは、前記大スパン構造体２と同様に、大スパン梁６に直交する方向の剛性、強度を高めるとともに、図３に示すように、前記大スパン構造体２から上部建築物３の最上階に至るまで、同一鉛直軸上で連続して該耐震壁１０を設け、連層耐震壁１１を形成することにより、耐震安全性を確保するものである。
【００１６】
本実施の形態では、前記連層耐震壁１１を、前記柱ユニット７の外側面および内側面の両側の同一軸上に設け、２重の連層耐震壁１１を形成しているが、これにこだわるものではなく、外側面側のみに連層耐震壁１１を設けても良い。
【００１７】
また、本実施の形態において、対をなす前記大スパン門型ラーメン構造体４を連結する直交梁５は、前記大スパン梁６の下部近傍に接合されている。このため、図３に示すように、前記大スパン梁６を連結する直交梁５を構成の一部とする前記上部建築物３の最下階の床面３ａは、前記大スパン梁６の梁成よりも低く位置することから、該大スパン梁６の上部に上部建築物３の最下階の部屋の外側に設けるバルコニーや廊下のパラペットとしての機能を持たせている。
【００１８】
上述する構成によれば、敷地内の一部を大きく跨ぐように大スパンを架け渡す機能を前記大スパン構造体２に集約し、該大スパン構造体２を人工地盤に見立てることにより、上部建築物３には、梁成を大きくすることによる不要な高さを付加する必要がないため、通常の建築計画を適用することが可能となり、施工性が良いとともにコストを大幅に削減することが可能となる。
【００１９】
また、上部建築物３は、一般的な梁成を有する梁を適用できるため、室内環境を損ねることがなく、該大スパン構造建築物１自身の価値を維持することが可能となる。
【００２０】
前記大スパン構造体２における直交梁５と平行する方向の外壁に耐震壁１０を用いていることから、前記大スパン梁６に直交する方向の剛性、強度を高めることが可能となる。
【００２１】
前記上部建築物３における前記大スパン構造体２の直交梁５と平行に位置する外壁を、前記大スパン構造体２の直交梁５と平行に位置する外壁に対して鉛直方向で同一軸上に設け、両者の外壁に前記大スパン構造体２から上部建築物３の最上階に至るまで、連続する連層耐震壁１１を形成することから、前記大スパン構造建築物１自身の耐震安全性を確保することが可能となる。
【００２２】
【発明の効果】
請求項１に記載の大スパン構造建築物によれば、離間配置された対をなす柱ユニット、及び対をなす該柱ユニットを連結するように水平に配置された大スパン梁とにより構成される大スパン門型ラーメン構造体が、対をなして平行に離間配置されるとともに、対をなす該大スパン門型ラーメン構造体の向かい合う柱ユニットどうし、及び大スパン梁どうしが複数の直交梁により連結されて形成される大スパン構造体と、該大スパン構造体の上部に構築される上部建築物とにより構成され、前記柱ユニットは、複数の柱が複数の連結梁により連結されて構成され、前記大スパン構造体の直交梁と平行に位置する前記柱ユニットの外側面と内側面とに耐震壁が用いられていることから、前記大スパン梁に直交する方向の剛性、強度を高めることが可能となる。そして、敷地内の一部を大きく跨ぐように大スパンを架け渡す機能を前記大スパン構造体に集約し、該大スパン構造体を人工地盤に見立てることにより、上部建築物は、梁成を大きくすることによる不要な高さを付加する必要がないため、通常の建築計画を適用することが可能となり、施工性が良いとともにコストを大幅に削減することが可能となる。
【００２３】
また、上部建築物は、一般的な梁成を有する梁を適用できるため、室内環境を損ねることがなく、該大スパン構造建築物自身の価値を維持することが可能となる。
【００２５】
請求項２に記載の大スパン構造建築物によれば、前記上部建築物における前記大スパン構造体の直交梁と平行に位置する外壁が、前記大スパン構造体の直交梁と平行に位置する前記外側面の前記耐震壁に対して鉛直方向で同一軸上に設けられることで、前記大スパン構造体から上部建築物の最上階に至るまで連続する連層耐震壁が形成されることから、前記大スパン構造建築物自身の耐震安全性を確保することが可能となる。
【００２６】
請求項３に記載の大スパン構造建築物によれば、対をなす前記大スパン門型ラーメン構造体を連結する直交梁を、大スパン梁の下方にて連結し、前記直交梁を構成の一部とする前記上部建築物の最下層の床面を前記大スパン梁の上端部より低い位置に設けることから、該大スパン梁の上部を上部建築物の最下階の部屋外側に設けるバルコニーや廊下のパラペットとしての機能を持たせることが可能となる。
【図面の簡単な説明】
【図１】  本発明に係る大スパン構造建築物の斜視図である。
【図２】  本発明に係る大スパン構造建築物の正面図である。
【図３】  本発明に係る大スパン構造建築物の側面図である。
【符号の説明】
１  大スパン構造建築物
２  大スパン構造体
３  上部建築物
３ａ  床面
４  大スパン門型ラーメン構造体
５  直交梁
６  大スパン梁
７  柱ユニット
８  柱
９  連結梁
１０  耐震壁
１１  連想耐震壁
【図１】
0003787813.tif 000002
【図２】
0003787813.tif 000003
【図３】
0003787813.tif 000004